(57)【特許請求の範囲】
【請求項１】
建物の一面となる外壁部に設けられ、少なくとも同外壁部の幅方向に相互に離間して配された２つの窓開口と、
それら窓開口に各々設けられ、同窓開口を開閉する窓開閉パネルと
を備え、
前記窓開閉パネルとして、前記窓開口を塞ぐ閉位置及び同窓開口から屋外側へ突出し同窓開口を開放する開位置の両位置を含む範囲にて回動可能な第１窓パネルを有し、
前記両第１窓パネルは、前記幅方向において互いに近い側となる端部が回動基端部、同幅方向において互いに遠い側となる端部が回動先端部となるように構成されており、
前記外壁部は、当該外壁部を同外壁部の幅方向両側から挟んで対峙する第１壁部及びそれら第１壁部を隔てて同外壁部と対峙する第２壁部の各壁部とともに室内空間を区画形成しており、
前記両窓開口のうち風上側となる一方から流入し風下側となる他方へ向う風が前記第１壁部に沿って流れるように整流する整流手段を備えていることを特徴とする建物の換気装置。
【請求項２】
前記整流手段は、前記室内空間において少なくとも前記窓開口と同じ高さ位置であって、且つそれら窓開口において互いに近い側となる端部又はそれら端部の間となる位置に設けられる整流面を有し、風上側から流入した風の室内空間における風向きを前記整流面により調整するものであることを特徴とする請求項１に記載の建物の換気装置。
【請求項３】
前記窓開閉パネルは、前記第１窓パネルに屋内側から対峙するようにして配置された第２窓パネルを有してなり、
前記第２窓パネルは、前記第１窓パネルの回動基端部と同じ側の端部を基端として屋内側へ回動可能となっており、
さらに、前記第２窓パネルは、前記整流手段を構成し、当該第２窓パネルが屋内側に回動された状態で前記室内空間内の風を整流することを特徴とする請求項１又は請求項２に記載の建物の換気装置。
【請求項４】
前記第２窓パネルの室内側への回動に連動して、前記第１窓パネルを屋外側へ回動させる連動機構を備えていることを特徴とする請求項３に記載の建物の換気装置。
【請求項５】
前記第１窓パネルは、前記窓開口よりも屋外側の開位置と屋内側の開位置との間で回動可能であって、且つ前記第２窓パネルと同じ回動角度で屋内側へ回動可能となっていることを特徴とする請求項３又は請求項４に記載の建物の換気装置。
【請求項６】
前記第１窓パネルは、前記窓開口よりも屋外側の開位置と屋内側の開位置との間で回動可能となっており、
前記両第１窓パネルのうち風上側となる一方が前記屋外側の開位置に回動され且つ風下側となる他方が前記屋内側の開位置に回動された状態で、当該他方の第１窓パネルが整流手段として機能することを特徴とする請求項１又は請求項２に記載の建物の換気装置。
【請求項７】
前記整流手段は、前記窓開口と同じ高さ位置に設けられ前記両第１壁部に対向するカーテン部材を有し、
前記カーテン部材は、前記外壁部側の端部が前記２つの窓開口の間においてそれら両窓開口の端部を含む中間壁部に対峙し、前記第２壁部側の端部が同第２壁部に対して離れた状態となるようにして配置されることを特徴とする請求項１乃至請求項６のいずれか１つに記載の建物の換気装置。
【請求項８】
前記外壁部は、浴室と屋外とを仕切るものであり、
前記窓開口は、前記浴室と屋外とを連通していることを特徴とする請求項１乃至請求項７のいずれか１つに記載の建物の換気装置。
【請求項９】
屋外に設けられ、前記外壁部に沿って流れる屋外風の風速を検出する風速検出手段と、
前記窓開閉パネルを前記閉位置及び前記開位置の両位置を含む範囲で動作させるパネル駆動手段と、
前記風速検出手段によって検出された風速に基づいて前記パネル駆動手段を制御して前記窓開閉パネルを開閉させる制御手段と
を有することを特徴とする請求項１乃至請求項８のいずれか１つに記載の建物の換気装置。
【請求項１０】
前記外壁部によって屋内外が区画されている部屋に設けられ、室内の湿度を検出する湿度検出手段を備え、
前記制御手段は、前記湿度検出手段によって検出された湿度に基づいて前記窓開閉パネルを開閉させることを特徴とする請求項９に記載の建物の換気装置。
【発明の詳細な説明】
【技術分野】
【０００１】
本発明は、建物の換気装置に関する。
【背景技術】
【０００２】
建物の外壁部には、屋内外に貫通する窓開口とその窓開口を塞ぐ窓パネルとが設けられており、窓開口を適宜開放することで換気を行うことができる。これにより、室内の空気とともに湿気やにおい等を屋外へ排出し、室内環境を好適なものとすることができる。
【０００３】
近年では、窓開口を開放した際の窓パネルの姿勢（例えば屋外への張り出し方）を工夫することにより、窓開口の面積を過度に大きくすることなく換気効率の向上を図った換気構造が提案されている（特許文献１参照）。
【先行技術文献】
【特許文献】
【０００４】
【特許文献１】特開２００７−１７０１３８号公報
【発明の概要】
【発明が解決しようとする課題】
【０００５】
ここで、上記特許文献１に記載された換気構造では、窓パネルを屋外側に突出させて室内への外気の流入を促進することで換気効率の向上が図られている。しかしながら、かかる構成に示すように単に外気の流入量を増大させる工夫をしただけでは、例えば部屋の中心部での換気効率を向上することができるものの部屋の壁部沿いとなる部分や角部分では換気が上手く行われないと懸念される。つまり、部分的な換気効率の向上は期待できても、部屋全体で見た場合には換気効率向上の恩恵が小さくなると想定される。
【０００６】
本発明は、上記事情等に鑑みてなされたものであり、室内の換気効率を好適に向上することができる建物の換気装置の提供を目的とするものである。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．建物の一面となる外壁部（第１外壁部３１）に設けられ、少なくとも同外壁部の幅方向に相互に離間して配された２つの窓開口（窓開口４１，４２）と、
それら窓開口に各々設けられ、同窓開口を開閉する窓開閉パネル（窓パネル５１，５２等）と
を備え、
前記窓開閉パネルとして、前記窓開口を塞ぐ閉位置及び同窓開口から屋外側へ突出し同窓開口を開放する開位置の両位置を含む範囲にて回動可能な第１窓パネル（窓パネル５１，５２）を有し、
前記両第１窓パネルは、前記幅方向において互いに近い側となる端部が回動基端部、同幅方向において互いに遠い側となる端部が回動先端部となるように構成されており、
前記外壁部は、当該外壁部を同外壁部の幅方向両側から挟んで対峙する第１壁部（仕切り壁部３４や第３外壁部３３）及びそれら第１壁部を隔てて同外壁部と対峙する第２壁部（第２外壁部３２）の各壁部とともに室内空間を区画形成しており、
前記両窓開口のうち風上側となる一方から流入し風下側となる他方へ向う風が前記第１壁部に沿って流れるように整流する整流手段（窓パネル５１，５２、内側窓パネル１０１，１０２又はカーテン５６）を備えていることを特徴とする建物の換気装置。
【０００９】
手段１によれば、屋外にて外壁部（詳しくはその外壁面）に沿うようにして風が吹いている場合に、例えば両窓開口を開放することで室内の換気を行うことができる。具体的には、風上側となる窓開口を通じて外気（屋外の空気）を屋内側へ導くことができる程度に、各窓開口に設けられた両第１窓パネルのうち風上側の第１窓パネルを屋外側へ回動させるとともに、風下側となる窓開口を通じて屋内の空気を排出可能となるように風下側の第１窓パネルを回動させる。このような状態とすれば、風上側の窓開口ではそれに付随する第１窓パネルによって室内に外気が導かれる。また、風下側の窓開口付近では負圧が生じることで屋内の空気の屋外への排出が促される。これにより、本手段に示す窓構造が採用された部屋の換気を行うことができる。
【００１０】
また、本手段においては特に、風上側の窓開口から流入し風下側の窓開口へ向う風が第１壁部に沿って流れるように整流されることとなる。このように第１壁部に沿った風の流れを生じさせることにより、第１壁部付近の空気の入れ替えを促して、部屋全体での換気効率を好適に向上することができる。
【００１１】
手段２．前記整流手段は、前記室内空間において少なくとも前記窓開口と同じ高さ位置であって、且つそれら窓開口において互いに近い側となる端部又はそれら端部の間となる位置に設けられる整流面（カーテン５６において壁部３３，３４を向いている面）を有し、風上側から流入した風の室内空間における風向きを前記整流面により調整するものであることを特徴とする手段１に記載の建物の換気装置。
【００１２】
手段２によれば、風上側の窓開口を通じて室内に流入した風の流れが整流面によって調整される。これにより、手段１に示した第１壁部に沿った風の流れを好適に実現することができる。
【００１３】
例えば、整流面を、第１壁部に対向させるとともに外壁部から第２壁部側へ延びる構成とすることにより、上記整流機能を好適に発揮させることができる。
【００１４】
手段３．前記窓開閉パネルは、前記第１窓パネルに屋内側から対峙するようにして配置された第２窓パネル（内側窓パネル１０１，１０２）を有してなり、
前記第２窓パネルは、前記第１窓パネルの回動基端部と同じ側の端部を基端として屋内側へ回動可能となっており、
さらに、前記第２窓パネルは、前記整流手段を構成し、当該第２窓パネルが屋内側に回動された状態で前記室内空間内の風を整流することを特徴とする手段１又は手段２に記載の建物の換気装置。
【００１５】
手段３によれば、第１窓パネルを屋外側に回動させるとともに第２窓パネルを室内側へ回動させることにより、窓開口が開放される。ここで、例えば、第２窓パネルを窓開口に対して斜めに対向させたり外壁部に対して直交させたりすることで、屋内空間における風の流れを当該第２窓パネルに最寄りとなる第１壁部に沿うように整流することができる。
【００１６】
手段４．前記第２窓パネルの室内側への回動に連動して、前記第１窓パネルを屋外側へ回動させる連動機構を備えていることを特徴とする手段３に記載の建物の換気装置。
【００１７】
手段４によれば、換気を行う場合には、屋内側の窓パネル（第２窓パネル）を回動させることで、それに追従して屋外側の窓パネル（第１窓パネル）が屋外側へ回動することとなる。このため、換気を行う際には、ユーザが第２窓パネルを屋内側に回動させることで第１窓パネルが屋外側に回動して窓開口が開放され、第２窓パネルを回動させた後に第１窓パネルを回動させる必要がない。故に、内外の窓パネルを併用して換気効率の向上を図りつつ、それに起因した換気の準備作業の煩雑化を抑制できる。
【００１８】
手段５．前記第１窓パネルは、前記窓開口よりも屋外側の開位置と屋内側の開位置との間で回動可能であって、且つ前記第２窓パネルと同じ回動角度で屋内側へ回動可能となっていることを特徴とする手段３又は手段４に記載の建物の換気装置。
【００１９】
風上側の第１窓パネルを屋外側へ突出させる場合、当該第１窓パネルの外面側（より詳しくは第１窓パネルの回動先端部付近）で負圧が生じ、風上側の第１窓パネルを通過した屋外風が外壁部側へ引き寄せられることとなる。このようにして引き寄せられた屋外風が風下側の窓開口に流入すると、風下側の窓開口を通じた空気の排出が妨げられ、換気効率が低下し得る。この点、風下側の窓パネルを屋外側へ回動させることで、そのような風の流入を妨げて換気効率の低下を回避することができる。
【００２０】
ここで、風下側の窓開口付近では、屋外風が当該窓開口を横切ることで同窓開口付近に負圧が発生して屋内空気の吸出しが生じ、その吸出しにより換気効率を高めることができる。このため、例えば風上側の窓パネルを迂回した屋外風が風下側の窓開口を超えた下流位置へ引き寄せられる場合には、風下側の第１窓パネルを屋外側に突出させる必要がなく、寧ろ屋外側へ突出することで当該第１窓パネルが抵抗となって風下側の窓開口付近での屋外風の風速が低下すると想定される。これは風下側の窓開口を通じた屋内空気の吸出しを弱くして換気効率の向上を妨げる要因となり得る。本手段においては、この点に着目して、第１窓パネルを屋内側に回動可能とした。これにより、屋外風の風速等に応じて効率よく換気ができるように換気態様を変更可能としている。
【００２１】
なお、第１窓パネルについては第２窓パネルに重ねた状態で（例えば第２窓パネルと同じ回動角度で）屋内側に回動可能とすることにより当該第２窓パネルに代えて第１窓パネルに屋内風の整流機能を付与できる。かかる構成を採用する場合には、例えば第１窓パネルの回動基端部を第２窓パネルの回動基端部よりも両第１壁部のうち最寄りとなる一方側へ偏倚させるとよい。
【００２２】
手段６．前記第１窓パネルは、前記窓開口よりも屋外側の開位置と屋内側の開位置との間で回動可能となっており、
前記両第１窓パネルのうち風上側となる一方が前記屋外側の開位置に回動され且つ風下側となる他方が前記屋内側の開位置に回動された状態で、当該他方の第１窓パネルが整流手段として機能することを特徴とする手段１又は手段２に記載の建物の換気装置。
【００２３】
手段６によれば、風下側の第１窓パネルを室内側に回動させて窓開口に対して斜めに対向させたり外壁部に対して直交させたり（すなわち第１壁部に対峙させたり）することで、室内空間での風が当該窓開口に近い側の第１壁部に沿って移動するように整流することができる。
【００２４】
手段７．前記整流手段は、前記窓開口と同じ高さ位置に設けられ前記両第１壁部に対向するカーテン部材（カーテン５６）を有し、
前記カーテン部材は、前記外壁部側の端部が前記２つの窓開口の間においてそれら両窓開口の端部を含む中間壁部に対峙し、前記第２壁部側の端部が同第２壁部に対して離れた状態となるようにして配置されることを特徴とする手段１乃至手段６のいずれか１つに記載の建物の換気装置。
【００２５】
手段７によれば、風上側の窓開口から室内に流入した外気は、風上側の第１壁部→第２壁部→反対側の第１壁部に沿って移動することとなる。これにより、壁部に沿う位置に存在する空気を好適に移動させることができる。
【００２６】
また、外気を室内空間における奥側（第２壁部側）へ導くことができ、一方の窓開口から室内に流入した外気が隣の窓開口から直ちに流出するといった不都合を好適に回避することができる。故に、室内空間全体での換気効率の向上を好適に実現することが可能となる。
【００２７】
手段８．前記外壁部は、浴室（浴室２１）と屋外とを仕切るものであり、
前記窓開口は、前記浴室と屋外とを連通していることを特徴とする手段１乃至手段７のいずれか１つに記載の建物の換気装置。
【００２８】
手段８によれば、浴室においては、内壁に水滴が付着したままとなることがあり、衛生上好ましくない。手段１等に示した技術的思想によれば、外気を導入することで、室内全体での空気の移動を促すことができる。これにより、内壁に付着した水滴等を好適に蒸発させることができる。
【００２９】
手段９．屋外に設けられ、前記外壁部に沿って流れる屋外風の風速を検出する風速検出手段（風速センサ８１）と、
前記窓開閉パネルを前記閉位置及び前記開位置の両位置を含む範囲で動作させるパネル駆動手段（窓パネル用駆動部９１，９２）と、
前記風速検出手段によって検出された風速に基づいて前記パネル駆動手段を制御して前記窓開閉パネルを開閉させる制御手段（制御装置７０）と
を有することを特徴とする手段１乃至手段８の何れか１つに記載の建物の換気装置。
【００３０】
手段９によれば、外壁部に沿った屋外風の風速に基づいて（例えば屋外風の風速が予め設定された値よりも大きい場合に）窓開閉パネルが開閉される。これにより、換気装置の利便性の向上が期待できる。
【００３１】
手段１０．前記外壁部によって屋内外が区画されている部屋（浴室２１）に設けられ、室内の湿度を検出する湿度検出手段（湿度センサ８３）を備え、
前記制御手段は、前記湿度検出手段によって検出された湿度に基づいて前記窓開閉パネルを開閉させることを特徴とする手段９に記載の建物の換気装置。
【００３２】
手段１０によれば、室内の湿度に基づいて（例えば湿度が予め設定された値よりも大きい場合に）窓開閉パネルが開閉される。これにより、換気装置の利便性の向上が期待できる。
【００３３】
なお、以下の技術的思想を上記各手段に適宜適用してもよい。
【００３４】
前記外壁部によって内外が区画されている部屋（浴室２１）に設けられ、室内に人がいることを検出する人検出手段（人感センサ８２）と、前記人検出手段によって人が検出された場合には、前記制御手段による駆動制御を規制する規制手段とを採用すれば、人が部屋を使用している場合には、換気を規制することができる。これにより、換気装置が滞動作して部屋の使用者に不快感を与えることを回避できる。
【００３５】
また、前記外壁部によって屋内外が区画されている部屋には、開閉可能に設けられた扉部（ドア３９）と当該扉部を動作させる扉駆動手段とが設けられており、前記制御手段は、前記パネル駆動手段を制御して換気を実行する場合に、前記扉駆動手段を制御して前記扉部を閉じるように設定されている構成を採用すれば、一方の窓開口から流入した空気が他方の窓開口から流出するという空気の流れを担保し、部屋内に上手く換気されない部分が生じることを好適に回避できる。
【図面の簡単な説明】
【００３６】
【図１】（ａ）建物の構造を示す横断面図、（ｂ）建物の構造を示す縦断面図。
【図２】換気の様子を示す概略図。
【図３】電気的構成を示すブロック図。
【図４】換気制御処理を示すフローチャート。
【図５】（ａ）換気にかかる構成の変形例を示す概略図、（ｂ）換気の様子を示す概略図。
【発明を実施するための形態】
【００３７】
以下に、本発明を具体化した一実施の形態について図面を参照しつつ説明する。本実施形態では、建物の浴室に設けられた換気装置に具体化されている。なお、図１（ａ）は建物１０の浴室２１を示す横断面図であり、図１（ｂ）は浴室２１を示す縦断面図（図１のＡ−Ａ線断面図）である。
【００３８】
図１（ａ）に示すように、建物１０は、隣接する建物１１に面する第１外壁部３１と、その第１外壁部３１に対して建物１１とは反対側から対向する第２外壁部３２と、それら第１外壁部３１及び第２外壁部３２に跨るようにして設けられた第３外壁部３３とを有し、それら各外壁部３１〜３３によって屋内外が仕切られてなる。第１外壁部３１と第２外壁部３２との間には、浴室２１と脱衣室２２とを仕切る仕切壁部３４が設けられており、これら各壁部３１〜３４によって浴室空間ＢＳが区画形成されている。
【００３９】
第１外壁部３１と第２外壁部３２との距離寸法Ｌ１は、第３外壁部３３と仕切壁部３４との距離寸法Ｌ２よりも大きく設定されており、浴室２１が全体として横長状をなしている。浴室２１においては、第１外壁部３１に添うようにしてバスタブが配設され、このバスタブよりも第２外壁部３２側となる部分が洗い場となっている。
【００４０】
仕切壁部３４において洗い場に面している部分には浴室２１と脱衣室２２とを繋ぐ出入口３８（ドア３９）が設けられている。出入口３８には、ドア３９の開閉位置を検知するドアセンサやドア３９を駆動するためのドア用駆動部が設けられている（図示略）。ドア用駆動部については後述する自動換気用の制御装置に対して電気的に接続されており、その制御装置から出力される駆動信号に基づいてドア３９が開閉される構成となっている。これにより、ドア３９は、手動での開閉だけではなく電気的な制御による開閉が可能となっている。また、浴室２１の天井部３６には換気扇（図示略）が取り付けられているが、この換気扇については省略することも可能である。
【００４１】
第１外壁部３１においてバスタブの上方となる部分（詳しくは床部３５及び天井部３６のうち後者寄りとなる部分）には（図１（ｂ）参照）、屋内外に貫通する略矩形状の窓開口４１，４２が形成されている。窓開口４１，４２は第１外壁部３１の幅方向に離して設けられており、それら窓開口４１，４２に１対１で対応させて窓サッシが設けられている。窓サッシは、第１外壁部３１に対する取付対象としてのサッシ枠（図示略）と、略矩形状の窓パネル５１，５２（詳しくはガラスパネル）とを有してなる。
【００４２】
窓パネル５１，５２は、片開き式の窓パネルであり、窓開口４１，４２を塞ぐ閉位置と窓開口４１，４２を開放する開位置との両位置を含む所定の範囲で回動可能となるようにして窓サッシに取り付けられている。より具体的には、窓パネル５１，５２は、お互いに近い側の端部が回動基端部、それとは反対側の端部が回動先端部となるようにして取り付けられており、屋外側へ９０度（第１外壁部３１に対して直交する状態）〜屋内側へ９０度（第１外壁部３１に対して直交する状態）となる範囲での回動が許容されている。
【００４３】
なお、第１外壁部３１には、各窓パネル５１，５２を個別に駆動させる窓パネル用駆動部が設けられており、これら各駆動部が後述する自動換気用の制御装置に対して電気的に接続されている。そして、制御装置から出力された駆動信号に基づいて窓パネル５１，５２が開閉される。これにより、窓パネル５１，５２については手動での開閉だけでなく電気的な制御による開閉が可能となっている。
【００４４】
第１外壁部３１の厚さ寸法については、窓パネル５１，５２の厚さ寸法よりも大きく設定されているため、それら窓パネル５１，５２については閉位置に配置されている場合には窓開口４１，４２内に収容された状態となっている。より詳しくは、各窓パネル５１，５２は、閉位置に配置されている状態では、窓開口４１，４２における最外位置にしている。窓開口４１，４２の開放に際して、窓パネル５１，５２が屋外側へ回動された場合には、それら窓パネル５１，５２のほぼ全体が窓開口４１，４２から突出することとなる。
【００４５】
また、窓パネル５１，５２の横幅寸法は、第１外壁部３１の厚さ方向における窓開口４１，４２の長さ寸法よりも大きく設定されている。このため、窓開口４１，４２の開放に際して、窓パネル５１，５２が屋内側へ回動された場合には、窓パネル５１，５２の回動先端部を含む大部分が窓開口４１，４２から突出することとなる。
【００４６】
図１（ａ）に示すように、隣の建物１１と本建物１０とによって挟まれた空間においては、第１外壁部３１と交差する方向ではなく、第１外壁部３１に沿う方向に風が流れやすい。本実施の形態においては、第１外壁部３１に沿って（詳しくは第１外壁部３１の幅方向に）風が吹いている場合に当該風を用いて浴室２１の換気を行うことで換気効率の向上を図っていることを特徴の１つとしている。
【００４７】
ここで、図１及び図２を参照して、窓開口４１，４２及び窓パネル５１，５２を利用した浴室２１における換気の様子について説明する。図２は換気の様子を示す概略図であり、屋外での風の流れ及び屋内での空気の動きを大小の矢印によって表示している。以下の説明においては屋外風の風向きが仕切壁部３４側から第３外壁部３３側へ向いている場合について例示し、風上側の窓開口４１及び窓パネル５１を「風上側窓開口４１」及び「風上側窓パネル５１」、風下側の窓開口４２及び窓パネル５２を「風下側窓開口４２」及び「風下側窓パネル５２」と称する。
【００４８】
浴室２１の換気については、第１外壁部３１に沿って流れる風の速度（風速）によって、効果的な換気態様が異なるため、以下の説明では先ず風速が比較的低い場合について説明し、その後風速が比較的高い場合について説明する。
【００４９】
図２（ａ）に示すように、屋外での風向きが風上側窓開口４１側→風下側窓開口４２側となっている場合には、ドア３９を閉じた状態とするとともに、両窓パネル５１，５２を屋外へ回動させて両窓開口４１，４２を開放させる。風上に位置する風上側窓開口４１においては、窓パネル５１が開放されることで、風上側窓開口４１を通じた外気の流入が許容される。具体的には、第１外壁部３１に沿って流れる風の一部は、第１外壁部３１（風上側窓開口４１）から突出する風上側窓パネル５１により誘導されて風上側窓開口４１側へとその向きを変え、風上側窓開口４１を通じて浴室２１（浴室空間ＢＳ）へと流入する。
【００５０】
このように風上側窓パネル５１を屋外に突出させて外気導入の足掛かりとして活用した場合には、風上側窓パネル５１の外面付近（より詳しくは回動先端部の直下流となる領域）に負圧領域が生じる。このため、風上側窓パネル５１（風上側窓開口４１）よりも外側を通過した風の一部は第１外壁部３１側へ引き寄せられることとなる。ここで、風下側窓開口４２の開放に際して風下側窓パネル５２を屋外側へ回動させておく（突出させておく）ことで、上述の如く第１外壁部３１側に引き寄せられた風が風下側窓パネル５２に衝突し、当該風の風上側窓開口４１への流入が回避される。風上側窓開口４１を通じて浴室内に流入した外気は、仕切壁部３４に沿うようにして第２外壁部３２側へ移動する。
【００５１】
仕切壁部３４に沿って第２外壁部３２側へ移動する外気においては、浴室２１へ流入した際の勢いが第２外壁部３２に近づくにつれて弱まることとなる。しかしながら、第２外壁部３２に到達して第３外壁部３３側に向うことで、風下側窓開口４２付近に発生する負圧により風下側窓開口４２側へ引き寄せられることとなり、その勢いが減衰して淀みが生じることが回避される。
【００５２】
このようにして浴室２１内を移動した空気は、風下側窓開口４２を通じて屋外に排出される。特に、風下側窓パネル５２によって風下側窓開口４２への外気の流入を抑制することで、同風下側窓開口４２を通じた浴室２１内空気の排出が担保される。つまり、風上側窓開口４１が取込口、風下側窓開口４２が排出口として機能し、外気が排出口側から流入して取込口側へ流れることを抑制している。これにより、換気機能が好適に発揮されることとなる。
【００５３】
次に、図２（ｂ）を参照して風速が比較的大きい場合の換気態様について説明する。なお、本実施の形態において風速が比較的小さい場合とは、屋外側において上述の如く風上側窓パネル５１を迂回した風が風下側窓開口４２又は第１外壁部３１において風下側窓開口４２よりも風上側となる部位へ引き寄せられる場合を示し、風速が比較的大きい場合とは、屋外側において風上側窓パネル５１を迂回した風が第１外壁部３１において風下側窓開口４２よりも風下側となる部位へ引き寄せられる場合を示している。
【００５４】
風速が比較的大きい場合には、風上側窓パネル５１を迂回した風が風下側窓開口４２に飛び込むことがないため、風下側窓パネル５２を屋外側へ突出させて、当該風の流入を規制する必要はない。そこで、風下側窓パネル５２を屋内側へ回動させることで、風下側窓開口４２付近での風の抵抗を減らし、屋外側での風速（第１外壁部３１に沿った風の流速）の低下を抑える。この結果、風下側窓開口４２付近に生じる負圧が大きくなり、同風下側窓開口４２における空気の吸い出しが強まる。故に、換気効率の向上が期待できる。
【００５５】
また、屋内側に風下側窓開口４２を突出させておくことで、風下側窓開口４２付近で発生する負圧の影響が第３外壁部３３に沿って存在する空気に対しておよびやすくなり、第３外壁部３３に沿った空気の移動が促進される。つまり、少なくとも風下側窓開口４２に近い位置では、風下側窓開口４２に向う空気が第３外壁部３３に沿って移動するように整流される。
【００５６】
本実施の形態においては、浴室２１の内壁に沿った空気の移動（風の流れ）をより確実に且つ効果的に発生させるための工夫が施されている。以下、図１及び図２を参照して、その工夫にかかる構成について説明する。
【００５７】
図１（ｂ）に示す浴室２１において天井部３６に隣接する位置には、レール部材５５が配されている。レール部材５５は、第１外壁部３１において両窓開口４１，４２の中間となる部分と第２外壁部３２とに跨っており、このレール部材５５に対してカーテン５６を取付可能となっている。
【００５８】
レール部材５５における第１外壁部３１側の端部にカーテン５６の一端を固定した状態で、カーテン５６を第２外壁部３２側へ広げることで、換気対応位置へのカーテン５６の配置が完了する（図１（ｂ）参照）。
【００５９】
カーテン５６の横幅寸法Ｗは、両外壁部３１，３２の距離寸法Ｌ１よりも小さく設定されている（図１（ａ）参照）。このため、換気対応位置にカーテン５６が配置された状態では、カーテン５６と第２外壁部３２との間に離間部分が形成される。
【００６０】
より詳しくは、浴室空間ＢＳがカーテン５６によって風上側窓開口４１側の領域と風下側窓開口４２側の領域とに大別され、各壁部３２〜３４及びカーテン５６によって上記離間部分を経由した空気（風）の通り道（通過経路）が形成される。このようにして、空気の通り道を形成することで、浴室２１内に誘導された外気が各壁部３１〜３４に沿って移動するように整流される。
【００６１】
浴室２１の換気を行う場合には、外気の流入速度が小さく浴室２１内の空気の排出速度が大きい場合等に、風上側窓開口４１から流入した外気が直ちに風下側窓開口４２に向かい図２の１点鎖線に示すショートカットが発生する可能性がある。このような事象が発生した場合には、浴室２１全体、特に各壁部３３，３４において第２外壁部３２側となる部分や第２外壁部３２付近での換気が上手く行われないと懸念される。
【００６２】
この点、カーテン５６を換気対応位置へ配置すれば、外気の通り道が上記離間部分を通過するように規制されるため、外気が第２外壁部３２へ届かなくなることを回避できる。故に、上記不都合の発生を抑え、浴室２１全体（特に内壁沿いとなる部分）での換気効率を好適に向上することができる。
【００６３】
なお、窓開口４１，４２を開放させて上述した自然換気を行う場合には、ドア３９を閉じることで浴室２１と脱衣室２２と間での空気の流れを遮断しておくことが好ましい。これにより、両窓開口４１，４２の関係性が低下して一方の窓開口から他方の窓開口へ上手く空気が移動しなくなることを抑制できる。
【００６４】
以上詳述したように、本実施の形態においては、窓開口４１，４２、窓パネル５１，５２及びカーテン５６等を用いて換気構造を構築した。かかる換気構造によれば、以下の効果が期待できる。
【００６５】
第１外壁部３１に沿うようにして風が吹いている場合に、例えば両窓パネル５１，５２を開位置へと移動させることで、浴室２１内の換気を行うことができる。具体的には、風上側の窓パネルを屋外側へ回動させて風上側の窓開口を開放するとともに、風下側の窓パネルを屋外側又は屋内側へ回動させて風下側の窓開口を開放する。このようにして両窓開口を開放すれば、風上側となる窓パネルによって浴室２１内に外気が導かれ、風下側の窓開口付近が負圧となることで浴室２１内の空気が室外へ排出されることとなり、浴室２１内に一方の窓開口（入口又は流入口）から他方の窓開口（出口又は排出口）へ向う空気の流れを発生させることができる。
【００６６】
特に、浴室２１内にカーテン５６を配して空気の通り道を規制することで、浴室２１内の空気が壁部３１〜３４に沿って移動するように整流されることとなる。これにより、壁部３２〜３４沿いに滞留している空気の移動を促進し、例えば本手段に示す窓構造が採用された部屋全体（壁際を含む）の換気を効率よく行うことができる。特に、壁際での換気を積極的に行うことで、内壁に付着した水滴等の除去効率を向上することができる。
【００６７】
このようにして浴室２１の乾燥を促進することで、乾燥に要する時間、すなわち窓開口４１，４２を開放したままにする時間を短縮できる。これにより、防犯性の低下を抑えることもできる。
【００６８】
また、風下側の窓パネルを屋内側に回動させて風下側の窓開口を開放することで、同窓パネルが最寄りの壁部（第３外壁部３３又は仕切壁部３４）に対峙した状態となる。これにより、少なくとも室内空気が風下側となる壁に沿うようにして整流され、壁際での換気効率を向上することができる。
【００６９】
また、本実施の形態に示す換気構造によれば、風上側窓開口４１側から風下側窓開口４２側に風が吹いている場合、風下側窓開口４２側から風上側窓開口４１側に風が吹いている場合の両者にて、換気機能を好適に発揮させることができる。
【００７０】
各窓パネル５１，５２を開きさえすれば換気を実行できるため、換気効率の向上に起因した準備作業の煩雑化を抑えることができる。
【００７１】
また、本実施の形態においては、上述した換気構造に換気を制御するための電気的構成を組み合わせることで換気装置（換気システム）６０が構築されており、利便性の向上及び換気効率の更なる向上が図られている。以下、図３のブロック図を参照して換気装置６０における電気的構成について説明する。
【００７２】
換気装置６０は、自動換気に関する制御を実行する制御装置７０を有している。制御装置７０には、各種演算を行うＭＰＵや入出力ポートが設けられている。
【００７３】
制御装置７０の入力側には、第１外壁部３１に沿って流れる屋外風の風速及びその方向を検出する風速センサ８１と、浴室２１に人がいるか否かを検出する人感センサ８２と、浴室２１における湿度を検出する湿度センサ８３と、ドア３９の位置を検知するドアセンサ８４と、自動換気のオン／オフを切り替える自動換気スイッチ８５とが接続されている。制御装置７０においては、これら各種構成８１〜８５から入力された情報に基づいて自動換気に関する各種制御が実行される。
【００７４】
なお、風速センサ８１については、第１外壁部３１の外壁面において上記窓開口４１，４２に隣接する位置に設けられており、人感センサ８２及び湿度センサ８３は浴室２１内に設けられており、ドアセンサ８４及び自動換気スイッチ８５については脱衣室２２に設けられているがこれら各種構成８１〜８５の詳細な配置については任意である。
【００７５】
制御装置７０の出力側には、風上側窓パネル５１を駆動させる第１窓パネル用駆動部９１と、風下側窓パネル５２を駆動させる第２窓パネル用駆動部９２と、ドア３９を駆動させるドア用駆動部９３と、換気扇９４とが接続されている。
【００７６】
制御装置７０からそれら各種構成９１〜９４に対して駆動信号が出力されることで、窓パネル５１，５２、ドア３９、換気扇９４が動作することとなる。
【００７７】
次に、図４のフローチャートを参照して、制御装置７０にて定期的（例えば１ｓｅｃ毎）に実行される換気制御処理について説明する。
【００７８】
換気制御処理においては先ず、ステップＳ１０１にて自動換気スイッチ８５がオンになっているか否かを判定する。ステップＳ１０１にて否定判定をした場合には、そのまま換気制御処理を終了する。
【００７９】
一方、ステップＳ１０１にて肯定判定をした場合には、ステップＳ１０２に進み、自動換気を実行している最中であるか否かを判定する。ステップＳ１０２にて否定判定をした場合には、ステップＳ１０３に進む。
【００８０】
ステップＳ１０３では、浴室が使用中であるか否かを判定する。具体的には、人感センサ８２からの検出信号（検出情報）に基づいて、浴室２１内に人がいるか否かを判定する。ステップＳ１０３にて肯定判定をした場合にはそのまま本換気制御処理を終了する。一方、ステップＳ１０３にて否定判定をした場合、すなわち浴室２１が使用中でないと判定した場合（浴室２１に人がいないと判定した場合）には、ステップＳ１０４に進む。
【００８１】
ステップＳ１０４では、湿度センサ８３からの検出信号（検出情報）に基づいて浴室２１の湿度が予め設定された値（規定値）以上であるか否かを判定する。ステップＳ１０４にて否定判定をした場合、すなわち浴室２１が湿っていないと判定した場合には、そのまま本換気制御処理を終了する。一方、ステップＳ１０４にて肯定判定をした場合すなわち浴室２１が湿っていると判定した場合には、ステップＳ１０５以下の換気実行処理を行う。すなわち、本実施の形態においては、自動換気スイッチがオンであること、浴室が使用中でないこと、湿度が規定値以上であることの全ての条件を満たした場合に自動換気が実行される。自動換気実行処理では、第１外壁部３１に沿って流れている風の風速に応じて異なる換気態様が選択されることとなる。
【００８２】
換気実行用処理においては先ず、ステップＳ１０５にて第１外壁部３１に沿って流れている風の速度が予め設定された値（規定値）以上であるか否かを判定する。ステップＳ１０５にて肯定判定をした場合、すなわち上記窓開口４１，４２を利用した換気を行うのに十分な風速であると判定した場合には、ステップＳ１０６に進む。
【００８３】
ステップＳ１０６では、窓開口４１，４２を利用した換気を行うための第１自動換気開始処理を実行する。第１自動換気開始処理においては、先ずドアセンサ８４からの検出情報に基づいてドア３９が開放されているか否かを判定し、仮にドア３９が開放されている場合にはドア用駆動部９３に対して駆動信号を出力してドア３９を閉鎖する。
【００８４】
また、制御装置７０は、風向き及び風速毎に効率よく換気を行うことができる各窓パネル５１，５２の回動位置情報を予め記憶しており、現状の風向き及び風速に対応する回動位置情報を把握した後、その回動位置情報に合わせて各窓パネル用駆動部９１，９２に駆動信号を出力する。具体的には、例えば図２に示したように、屋外風の風速が予め設定された値よりも小さい場合には風下側となる窓パネルの回動位置が屋外側となるように設定され、同値よりも大きい場合には風下側となる窓パネルの回動位置が屋内側となるように設定されている。これにより、屋外風の風速に応じてより換気効率の高い側の換気態様が選択される。
【００８５】
なお、屋外風の風速に応じて風上側の窓パネルの回動位置（回動角度）を段階的に設定してもよい。例えば、風速が大きくなるにつれて回動角度を小さくする構成とすることも可能である。
【００８６】
その後、第１自動換気の実行時間を定めるためのタイマ設定処理を実行して、本第１自動換気開始処理を終了する。なお、タイマ設定処理にてセットされた値は換気制御処理が実行される度に減算され、当該値が０になった場合に自動換気を終了する構成となっている。
【００８７】
ステップＳ１０５にて出力された駆動信号に基づいて各窓パネル用駆動部９１，９２が動作することにより、各窓パネル５１，５２が最適位置に配置され、窓開口４１，４２を利用した自然換気が開始される。
【００８８】
一方、ステップＳ１０５にて否定判定をした場合、すなわち窓開口４１，４２を利用した自然換気に十分な風速が担保されていないと判断した場合には、ステップＳ１０７に進み、換気扇９４を利用した強制換気を行うための第２自動換気開始処理を開始する。第２自動換気開始処理においては、換気扇９４に対して駆動信号の出力を開始して、そのまま本換気制御処理を終了する。なお、第２自動換気開始処理においても、上記タイマ設定処理と同様の処理を実行する。
【００８９】
ステップＳ１０２に戻り、ステップＳ１０２にて肯定判定をした場合、すなわち自動換気を実行している最中であると判定した場合には、ステップＳ１０８に進む。ステップＳ１０８では、自動換気を終了するタイミングであるか否かを判定する。具体的には、タイマ設定処理にて設定されたタイマの値を参照して、同タイマの値が０になっているか否かを判定する。
【００９０】
ステップＳ１０８にて否定判定をした場合、すなわちまだ自動換気処理を終了するタイミングでないと判定した場合には、ステップＳ１０９に進み、現在実行中の換気処理が第１自動換気処理であるか否かを判定する。ステップＳ１０９にて否定判定をした場合、すなわち換気扇９４を用いて強制換気を行っていると判定した場合には、そのまま本換気制御処理を終了する。
【００９１】
一方、ステップＳ１０９にて肯定判定をした場合には、ステップＳ１１０に進み、通風量調整処理を実行する。具体的には、風速センサ８１から入力された風向き及び風速に関する情報に基づいて、現在の各窓パネル５１，５２の位置が最適であるか否かを判定する。仮に、風向きや風速が換気を開始したタイミングから変化して最適な状態ではなくなっていると判定した場合には、再び最適位置を定めた上記回動位置情報を参照して、各窓パネル５１，５２が最適な位置に配置されるように窓パネル用駆動部９１，９２に対して駆動信号を出力する。かかる処理を行うことで、窓パネル５１，５２が最も換気効率がよくなる位置に維持される。ステップＳ１１０の処理を実行した後は、そのまま本換気制御処理を終了する。
【００９２】
ステップＳ１０８の説明に戻り、同ステップＳ１０８にて肯定判定をした場合、すなわち、自動換気処理を終了するタイミングであると判定した場合には、ステップＳ１１１にて自動換気停止処理を実行した後、本換気制御処理を終了する。
【００９３】
自動換気停止処理においては、先ず実行されている換気の態様を把握し、それに応じて換気実行前の状態への復帰処理を行う。具体的には、第１自動換気が行われている場合には各窓パネル用駆動部９１，９２に各窓パネル５１，５２を閉位置へ復帰させるようにして駆動信号出力し、第２自動換気が行われている場合には換気扇９４への駆動信号の出力を停止する。なお、各窓パネル５１，５２を閉位置へ移動させる際には、風上側の窓パネルを先に閉位置へ復帰させて、その後に風下側の窓パネルを閉位置に復帰させることが好ましい。
【００９４】
以上、詳述した実施形態によれば、以下の優れた効果を奏する。
【００９５】
風速に応じて、第１自動換気（自然換気）と第２自動換気（強制換気）とを使い分けることにより、換気効率を向上させつつ、それに起因した電力の消費量を抑えることができる。
【００９６】
第１自動換気を行っている場合には、風速に応じて各窓パネル５１，５２の位置を調整することで換気効率の向上を図り、浴室２１の換気に要する時間を短縮することができる。
【００９７】
浴室２１を使用している場合には、自動換気を行わない構成とすることにより、浴室２１の使用者に対して煩わしい印象を与えることを回避できる。
【００９８】
自動換気を行う場合には、ドア３９を強制的に閉じた状態とすることにより、浴室２１と脱衣室２２との間での空気の移動を遮ることで脱衣室２２側への空気の漏れを抑制し、浴室２１における整流機能を好適に発揮させることが可能となる。これにより、換気効率の向上が期待できる。
【００９９】
浴室２１のようにプライバシーの確保が優先させる環境においては、窓開口４１，４２をなるべく高い位置に配することで屋外から浴室２１内を見えないようにすることができる。しかしながら、このような高い位置へ窓開口４１，４２を配置すると、窓開口４１，４２を手動で開放することが困難になる。この点、自動換気が実行される場合には、窓開口４１，４２を手動で開け閉めする必要がない。これにより、プライバシーの保護を図りつつ、それに起因した利便性の低下を抑えることができる。
【０１００】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１０１】
（ａ）上記実施の形態では、「整流手段」として窓パネル５１，５２及びカーテン５６を利用する構成としたが、「整流手段」を複数種採用する必要は必ずしもなく、一方を省略することも可能である。例えば、窓パネル５１，５２の整流機能を省略する場合には、窓パネル５１，５２を屋内外に回動可能な構成とするのではなく、屋内側へ回動しない構成とすることも可能である。
【０１０２】
（ｂ）窓開口４１，４２は、少なくとも水平方向に離間していればよく、例えば斜めに並べて配することも可能である。
【０１０３】
（ｃ）上記実施の形態では、第１外壁部３１に風上側窓開口４１と風下側窓開口４２とをそれぞれ形成したが、これを変更し、第１外壁部３１に内外に貫通する貫通口を形成し、同貫通口をサッシ枠や固定式の窓パネル等で仕切ることで複数の窓開口を形成することも可能である。
【０１０４】
また、各窓開口４１，４２については必ずしも１の窓パネルによって塞ぐ必要はなく、複数の窓パネルによって塞ぐ構成としてもよい。例えば、各窓開口４１，４２を第１外壁部３１の面広がり方向に並べて設けられた複数の窓パネルによってそれぞれ塞ぐ構成とすることも可能である。
【０１０５】
（ｄ）上記実施の形態では、「整流手段」として窓パネル５１，５２を屋内側へ回動可能とする構成やカーテン５６を採用したが、これらに代えて、以下の構成を採用することも可能である。すなわち、図５（ａ１）の概略図に示すように、第１外側窓パネル５１Ａ及び第２外側窓パネル５２Ａに１対１で対応させて第１内側窓パネル１０１及び第２内側窓パネル１０２を設ける。各内側窓パネル１０１，１０２については、外側窓パネル５１Ａ，５２Ａと同様にガラス板を主体として構成されており、それら外側窓パネル５１Ａ，５２Ａに対して隙間を隔てて浴室２１の内側から対向している。内側窓パネル１０１，１０２の外形についても外側窓パネル５１Ａ，５２Ａと同様に窓開口４１，４２に合わせて形成されており、それら内側窓パネル１０１，１０２によって窓開口４１，４２が塞がれている。
【０１０６】
外側窓パネル５１Ａ，５２Ａについては、上記実施の形態とは異なり、窓開口４１，４２を開放する際に屋外側への回動が許容される一方、屋内側への回動が許容されない構成となっている。一方、内側窓パネル１０１，１０２については、対向している外側窓パネル５１Ａ，５２Ａの回動基端側と同じ側の端部が回動基端部となっており、同回動基端部を中心として外側窓パネル５１Ａ，５２Ａとは逆側（屋内側）に回動可能となっている。なお、内側窓パネル１０１，１０２の回動範囲は最大で９０度となる程度に規制されている。
【０１０７】
窓開口４１，４２を開放する場合には、図５（ａ２）に示すように、内側窓パネル１０１，１０２を屋内側へ回動させるとともに外側窓パネル５１Ａ，５２Ａを屋外側へ回動させる。これにより、窓開口４１，４２を通じた外気の出入が許容されることとなる。内側窓パネル１０１，１０２については、その先端部が窓開口４１，４２から突出しており、当該内側窓パネル１０１，１０２によって、空気が壁部３２〜３４に沿って移動するように整流されることとなる。
【０１０８】
本変形例に示す構成を採用する場合には、合わせて以下の構成を採用するとよい。すなわち、内側窓パネル１０１，１０２が室内側に開放される場合に、それら内側窓パネル１０１，１０２の動作に基づいて（連動して）、外側窓パネル５１Ａ，５２Ａが回動するように窓パネル間の動きを連動させるための連動機構を採用するとよい。具体的には、外側窓パネル５１Ａ，５２Ａと内側窓パネル１０１，１０２とを歯車等からなるリンク機構によって連結し、内側窓パネル１０１，１０２の屋内側への回動に追従して外側窓パネル５１Ａ，５２Ａが屋外側へ、内側窓パネル１０１，１０２と同じ角度開くように構成する。これにより、換気を行う際には、ユーザが内側窓パネル１０１，１０２を屋内側へ回動させることで外側窓パネル５１Ａ，５２Ａが屋外側へ回動することとなる。故に、内外の窓パネルの併用に起因した、浴室２１の換気時の作業の低下を抑えることができる。なお、連度機構については、内側窓パネル１０１，１０２の屋内側への回動角度と外側窓パネル５１Ａ，５２Ａの屋外側への回動角度とが同じとなるように構成する必要は必ずしもなく、内側窓パネル１０１，１０２の回動角度が外側窓パネル５１Ａ，５２Ａの回動角度よりも大きくなるように、又は内側窓パネル１０１，１０２の回動角度が外側窓パネル５１Ａ，５２Ａの回動角度よりも小さくなるように構成することも可能である。
【０１０９】
また、内外の窓パネルを併用した上記変形例においては、外側窓パネル５１Ａ，５２Ａを屋外側へのみ回動可能としたが、上記実施の形態と同様に室内側への回動を許容する構成としてもよい。かかる構成とする場合には、外側窓パネル５１Ａ，５２Ａの回動中心部（回動中心軸）を内側窓パネル１０１，１０２の回動中心部（回動中心軸）よりも、最寄りの壁部３３，３４側へ偏移させておくとよい。これにより、内側窓パネル１０１，１０２が外側窓パネル５１Ａ，５２Ａを室内側へ回動させる際の妨げとなることを抑制することができる。かかる構成を採用することにより、風速に応じて外側窓パネル５１Ａ，５２Ａの回動方向を屋内外で選択可能となり、換気効率の向上に貢献することができる。
【０１１０】
なお、本変形例（ｄ）に示すように内外の窓パネルを併用する場合には、内側の窓パネルと外側の窓パネルとの間にそれら両窓パネルが閉じた状態で密閉空間が形成される構成とすることが好ましい。かかる構成とすることで、浴室２１の断熱機能や防音機能を好適に向上することができる。
【０１１１】
（ｅ）上記実施の形態においては、両窓開口４１，４２の離間距離をそれら窓開口４１，４２の横幅よりも大きく設定したが、これに限定されるものではない。両窓開口４１，４２の離間距離を窓開口４１，４２の横幅よりも小さくすることも可能である。
【０１１２】
このような変更を行う場合には、図５の（ｂ１）に示すように、各窓パネル５１Ｂ，５２Ｂの屋内側への回動角度を約９０度に設定するとよい。この場合、図５（ｂ２）に示すように、風上側窓開口４１から流入した外気は、仕切壁部３４に沿って移動するように風下側窓パネル５２Ｂによって整流され、風下側窓開口４２から流出する空気は第３外壁部３３に沿って移動するように整流されることとなる。つまり、２つの窓パネルのうち一方を外開き他方を内開きとすることで、内開きとなる他方の窓パネルが整流手段として機能することとなる。
【０１１３】
（ｆ）各窓パネル５１，５２を開放した場合に、同窓パネル５１，５２を所望とする位置で固定可能なロック装置を採用すれば、風圧によって窓パネル５１，５２の位置が変わるといった不都合を生じにくくすることができる。
【０１１４】
（ｇ）上記実施の形態では、浴室２１の長手方向における両側に位置する外壁部３１，３２のうち第１外壁部３１に窓開口４１，４２を設けたが、これに限定されるものではなく、第２外壁部３２に窓開口を設けてもよい。更には、浴室２１の短手方向における両側に位置する壁部３３，３４のうち外壁を構成する第３外壁部に窓開口を設けてもよい。但し、浴室２１の内壁に沿った空気の移動を促進するには、上記実施の形態に示したように浴室２１の長手方向における一方の外壁部に窓開口を配設することが好ましい。
【０１１５】
（ｈ）上記実施の形態においては、浴室２１の換気を行う構成としたが、浴室２１とともに脱衣室２２の換気をまとめて行う構成とすることも可能である。このような換気を行う場合には、浴室２１のドア３９を開放して浴室２１と脱衣室２２とを連通するとともに、脱衣室２２のドアを閉めて他の部屋等からの空気の出入を阻止するとよい。
【０１１６】
（ｉ）上記実施の形態では、浴室２１に換気構造（換気装置６０）を適用したが、換気構造の適用対象は浴室に限定されるものではなく、例えばリビング等の居室に適用することも可能である。
【０１１７】
（ｊ）上記実施の形態では、換気構造、各種センサ８１〜８４、自動換気スイッチ８５、各種駆動部９１〜９３及び制御装置７０を用いて換気装置６０を構築したが、少なくとも上記換気構造に相当する構成があればよい。すなわち手動によって換気が行える構成であれば足り、電気的構成を省略することも可能である。
【符号の説明】
【０１１８】
１０…建物、２１…浴室、３１…外壁部としての第１外壁部、３２…第２外壁部、３３…第３外壁部、３４…仕切壁部、３８…出入口、３９…ドア、４１，４２…窓開口、５１，５２…窓パネル、５６…整流手段又はカーテン部材を構成するカーテン、６０…換気装置、７０…制御装置、８１…風速センサ、８２…人感センサ、８３…湿度センサ、８４…ドアセンサ、９１，９２…窓パネル用駆動部、９３…ドア用駆動部、１０１，１０２…整流手段を構成する内側窓パネル、ＢＳ…浴室空間。
【図１】
0005526045.tif 000002
【図２】
0005526045.tif 000003
【図３】
0005526045.tif 000004
【図４】
0005526045.tif 000005
【図５】
0005526045.tif 000006